(57)【特許請求の範囲】
【請求項１】
第１の電極板（２２）と第２の電極板（３１）とを備える第１のモジュール（１００）であって、前記第１の電極板（２２）と前記第２の電極板（３１）とは第１の固定部品（４２）を使用して固定され、前記第１の電極板（２２）と前記第２の電極板（３１）との間に第１の絶縁層（５１）が配置された第１のモジュール（１００）と、
第３の電極板（２１）を保持するための第１の支持構造体（１１）と、
第４の電極板（３２）を保持するための第２の支持構造体（１２）と、
前記第３の電極板（２１）と前記第２の電極板（３１）との間に配置される第１の貯水層（６１）と、
前記第１の電極板（２２）と前記第４の電極板（３２）との間に配置される第２の貯水層（６２）と
を備える、注水式発電装置（１）。
【請求項２】
前記第３の電極板（２１）は、第２の固定部品（４１）を使用して前記第１の支持構造体（１１）上に固定され、前記第４の電極板（３２）は、第３の固定部品（４３）を使用して前記第２の支持構造体（１２）上に固定される、請求項１に記載の装置。
【請求項３】
前記第４の電極板（３２）と前記第２の支持構造体（１２）との間に第２の絶縁層（５２）が配置される、請求項２に記載の装置。
【請求項４】
前記第１の電極板（２２）は可撓性を有する形状である、請求項１に記載の装置。
【請求項５】
前記第３の電極板（２１）は可撓性を有する形状である、請求項２に記載の装置。
【請求項６】
前記第１の電極板（２２）は、炭素（Ｃ）、ニッケル（Ｎｉ）、および導電性メッシュを含み、前記第２の電極板（３１）は、マグネシウム（Ｍｇ）を含む、請求項１に記載の装置。
【請求項７】
前記第３の電極板（２１）は、炭素（Ｃ）、ニッケル（Ｎｉ）、および導電性メッシュを含み、前記第４の電極板（３２）は、マグネシウム（Ｍｇ）を含む、請求項１に記載の装置。
【請求項８】
前記第１の電極板（２２）はさらに、ポリテトラフルオロエチレン（ＰＴＦＥ）、超電導カーボンブラック、およびグラファイトのうちの少なくとも１つを含む、請求項６に記載の装置。
【請求項９】
前記第３の電極板（２１）はさらに、ポリテトラフルオロエチレン（ＰＴＦＥ）、超電導カーボンブラック、およびグラファイトのうちの少なくとも１つを含む、請求項７に記載の装置。
【請求項１０】
前記第１の貯水層（６１）および前記第２の貯水層（６２）は、ナトリウム（Ｎａ）イオンを含む、請求項１に記載の装置。
【請求項１１】
前記第１の貯水層（６１）および前記第２の貯水層（６２）は、吸水紙製である、請求項１に記載の装置。
【請求項１２】
前記第２の貯水層（６２）と前記第４の電極板（３２）との間に配置される少なくとも１つの追加モジュール（２００）であって、前記第１のモジュール（１００）と同じ構造を有する少なくとも１つの追加モジュール（２００）と、
前記少なくとも１つの追加モジュール（２００）と前記第４の電極板（３２）との間に配置される少なくとも１つの追加貯水層（６３）と
をさらに備える、請求項３に記載の装置。
【請求項１３】
前記第１の固定部品および前記第２の固定部品は、導電性であり、防錆処理済みである、請求項２に記載の装置。
【請求項１４】
第１のモジュール（１００）を形成するステップを含む注水式発電装置（１）の製造方法であって、前記第１のモジュール（１００）を形成するステップは、
第１の電極板（２２）および第２の電極板（３１）を配設するステップと、
前記第１の電極板（２２）の一表面もしくは前記第２の電極板（３１）の一表面に第１の絶縁層（５１）を配置するステップと、
第１の固定部品（４２）を使用して、前記第１の電極板（２２）と前記第２の電極板（３１）との間に前記第１の絶縁層（５１）が配置された状態で、前記第１の電極板（２２）と前記第２の電極板（３１）とを固定するステップと
を含む製造方法。
【請求項１５】
第３の電極板（２１）を保持するための第１の支持構造体（１１）および第４の電極板（３２）を保持するための第２の支持構造体（１２）を配設するステップと、
前記第４の電極板（３２）と前記第２の支持構造体（１２）との間に第２の絶縁層（５２）を配設するステップと、
第２の固定部品（４１）を使用して、前記第１の支持構造体（１１）上に前記第３の電極板（２１）を固定するステップと、
第３の固定部品（４３）を使用して、前記第２の支持構造体（１２）と前記第４の電極板（３２）との間に前記第２の絶縁層（５２）が配置された状態で、前記第２の支持構造体（１２）上に前記第４の電極板（３２）を固定するステップと
をさらに含む、請求項１４に記載の製造方法。
【請求項１６】
前記第２の電極板（３１）と前記第３の電極板（２１）との間に第１の貯水層（６１）を配設するステップと、
前記第１の電極板（２２）と前記第４の電極板（３２）との間に第２の貯水層（６２）を配設するステップと
をさらに含む、請求項１５に記載の製造方法。
【請求項１７】
前記第１の電極板（２２）は、炭素（Ｃ）、ニッケル（Ｎｉ）、および導電性メッシュを含み、前記第２の電極板（３１）は、マグネシウム（Ｍｇ）を含む、請求項１４に記載の製造方法。
【請求項１８】
前記第３の電極板（２１）は、炭素（Ｃ）、ニッケル（Ｎｉ）、および導電性メッシュを含み、前記第４の電極板（３２）は、マグネシウム（Ｍｇ）を含む、請求項１５に記載の製造方法。
【請求項１９】
前記第１の電極板（２２）はさらに、ポリテトラフルオロエチレン（ＰＴＦＥ）、超電導カーボンブラック、およびグラファイトのうちの少なくとも１つを含む、請求項１７に記載の製造方法。
【請求項２０】
前記第３の電極板（２１）はさらに、ポリテトラフルオロエチレン（ＰＴＦＥ）、超電導カーボンブラック、およびグラファイトのうちの少なくとも１つを含む、請求項１８に記載の製造方法。
【請求項２１】
前記第１の貯水層（６１）および前記第２の貯水層（６２）は、ナトリウム（Ｎａ）イオンを含む、請求項１６に記載の製造方法。
【請求項２２】
前記第１の貯水層（６１）および前記第２の貯水層（６２）は、吸水紙製である、請求項１６に記載の製造方法。
【請求項２３】
前記第２の貯水層（６２）と前記第４の電極板（３２）との間に、前記第１のモジュール（１００）と同じ構造を有する少なくとも１つの追加モジュール（２００）を配設するステップと、
前記少なくとも１つの追加モジュール（２００）と前記第４の電極板（３２）との間に少なくとも１つの追加貯水層（６３）を配設するステップと
をさらに含む、請求項１６に記載の製造方法。
【発明の詳細な説明】
【技術分野】
【０００１】
本発明は、全般的には、発電装置に関する。特に、本発明は、注水式発電装置に関する。
【背景技術】
【０００２】
ボタン電池もしくは亜鉛炭素電池のような市販の民生用電池は、一般に、一次電池と呼ばれる。これらの電池は、使い終わったら廃棄されるように設計されている。一次電池は使用されるときに、電池内の化学反応が化学物質を消費することにより発電する。化学物質が消費されてしまうと、電池は発電しなくなる。一次電池は、一般に、製造コストがより安く、小売価格がより安くなる傾向がある。しかし、一次電池に含まれる重金属および電解質は環境にとって有害であり、廃棄されたときに環境汚染を引き起こす。例えば、一次電池に含まれる電解質が漏出すれば、水と化学反応を起こして、毒性物質を発生させる恐れがある。
【０００３】
近年では、従来型の一次電池に代わる代替電池の研究が著しい進歩を遂げている。一般に水電池として周知である注水式発電装置は、この代替電池の一例である。水電池は、電解質を全く含まない電池であるので、水に浸される、もしくは水で満たされるまで電圧を発生させない。したがって、従来型の一次電池と比べて、水電池は、水が水電池と接触しなければ化学反応が生じないので、保管しやすい。水電池は、水電池内の化学物質を消費せずに倉庫または棚に何年間も保管することが可能である。さらに、水電池を製造するのに使用される材料は環境に優しい。つまり、水電池が廃棄されるときに、水電池の部品は容易に再利用可能であり、毒性物質を発生させることがない。
【０００４】
しかし、既存の水電池には幾つかの制限がある。例えば、従来型水電池では大きな出力電圧を発生させることが難しい。従来型水電池は、水を入れる容器を有する場合が多く、電池を満たすのに使用される水および水中の不純物は共に導電性を有するので、従来型水電池は、別の注入式発電装置と直列もしくは並列に接続される前に、絶縁体を有する別個のモジュールとして慎重に製造されなければならない。
【０００５】
従来型水電池の陽極としてマグネシウム（Ｍｇ）を使用する理由の１つとして、従来型水電池の寿命は比較的短いということが挙げられる。マグネシウム（Ｍｇ）は、水電池が発電するときに消費される。Ｍｇは高い反応性を有するため、Ｍｇを固定する固定部品が腐食してしまう。Ｍｇと固定部品との化学反応は熱を発生させ、その後、熱が固定部品を変形させてしまう。また、従来型水電池内のＭｇの腐食は、従来型水電池の機能を損ない、寿命を縮めてしまうという短絡問題を発生させることになる。
【発明の概要】
【発明が解決しようとする課題】
【０００６】
したがって、上述の問題を克服する水注入式発電装置を開発する必要がある。
【課題を解決するための手段】
【０００７】
本発明の装置は、それぞれ複数の態様を有し、これらの態様のみが望ましい特性を有するとは限らない。本発明の範囲を制限せずに、本発明のより重要な特徴について簡潔に説明する。本明細書を考察した後、特に、「発明を実施するための形態」の節を読んだ後に、本発明の特徴が他の水電池に勝る利点を有する理由が明らかになるであろう。
【０００８】
本開示の実施形態は、注水式発電装置を提供する。注水式発電装置は、第１のモジュールを備える。第１のモジュールは、第１の電極板と第２の電極板とを備え、第１の電極板と第２の電極板とは第１の固定部品を使用して固定され、第１の電極板と第２の電極板との間に第１の絶縁層が配置される。注水式発電装置はさらに、第３の電極板を保持するための第１の支持構造体と、第４の電極板を保持するための第２の支持構造体とを備える。注水式発電装置はさらに、第１の貯水層と第２の貯水層とを備え、第１の貯水層は第３の電極板と第２の電極板との間に配置され、第２の貯水層は第１の電極板と第４の電極板との間に配置される。
【０００９】
一実施形態では、第３の電極板は、第２の固定部品を使用して第１の支持構造体上に固定され、第４の電極板は、第３の固定部品を使用して第２の支持構造体上に固定される。
【００１０】
一実施形態では、第４の電極板と第２の支持構造体との間に第２の絶縁層が配置される。
【００１１】
一実施形態では、注水式発電装置はさらに、第２の貯水層と第４の電極板との間に、第１のモジュールと同じ構造を有する少なくとも１つの追加モジュールを備える。一実施形態では、注水式発電装置はさらに、少なくとも１つの追加モジュールと第４の電極板との間に少なくとも１つの追加貯水層を備える。
【００１２】
本開示の実施形態は、注水式発電装置の製造方法を提供する。本開示の方法は、第１のモジュールを形成するステップを含み、第１のモジュールを形成するステップは、第１の電極板および第２の電極板を配設するステップと、第１の電極板の一表面もしくは第２の電極板の一表面に第１の絶縁層を配置するステップと、第１の固定部品を使用して、第１の電極板と第２の電極板との間に第１の絶縁層が配置された状態で、第１の電極板と第２の電極板とを固定するステップとを含む。
【００１３】
一実施形態では、注水式発電装置の製造方法はさらに、第３の電極板を保持するための第１の支持構造体および第４の電極板を保持するための第２の支持構造体を配設するステップと、第４の電極板と第２の支持構造体との間に第２の絶縁層を配設するステップと、第２の固定部品を使用して第１の支持構造体上に第３の電極板を固定するステップと、第３の固定部品を使用して、第２の支持構造体と第４の電極板との間に第２の絶縁層が配置された状態で、第２の支持構造体上に第４の電極板を固定するステップとを含む。
【００１４】
一実施形態では、注水式発電装置の製造方法はさらに、第２の電極板と第３の電極板との間に第１の貯水層を配設するステップと、第１の電極板と第４の電極板との間に第２の貯水層を配設するステップとを含む。
【００１５】
一実施形態では、注水式発電装置の製造方法はさらに、第２の貯水層と第４の電極板との間に、第１のモジュールと同じ構造を有する少なくとも１つの追加モジュールを配設するステップと、少なくとも１つの追加モジュールと第４の電極板との間に、少なくとも１つの追加貯水層を配設するステップとを含む。
【図面の簡単な説明】
【００１６】
【図１Ａ−Ｂ】図１Ａは、本発明の一実施形態の注水式発電装置の第１のモジュール１００の概略図である。図１Ｂは、本発明の一実施形態の注水式発電装置の基本構造体１２０の概略図である。
【図２】本発明の一実施形態の注水式発電装置１の概略図である。
【図３】本発明の一実施形態の注水式発電装置内の電位経路７０の概略図である。
【図４】本発明の一実施形態の注水式発電装置２の概略図である。
【図５Ａ−Ｃ】それぞれ、本発明の一実施形態の注水式発電装置の正面図、側面図及び上面図である。
【図５Ｄ】本発明の一実施形態の注水式発電装置の３次元図である。
【図６Ａ】本発明の一実施形態の注水式発電装置の製造方法のフローチャートである。
【図６Ｂ】本発明の一実施形態の注水式発電装置の製造方法のフローチャートである。
【発明を実施するための形態】
【００１７】
以下に、本発明の特定の実施形態について詳細に説明する。しかし、本発明は、多数の異なる方法で実現可能である。以下の説明では、全体を通して対応する部品に番号が付与された図面を参照するものとする。
【００１８】
図１Ａは、本発明の一実施形態の注水式発電装置を構成する第１のモジュール１００の概略図である。図１Ａに示されている部品は正確な縮尺で描かれておらず、単に例示目的で示されていることに留意されたい。図１Ａに示されているように、第１のモジュール１００は、第１の電極板２２と第２の電極板３１とを備える。第１の電極板（２２）は、炭素（Ｃ）電極板２２としてもよいが、これに限定されない。第２の電極板３１は、マグネシウム（Ｍｇ）電極板３１としてもよいが、これに限定されない。第１の電極板２２と第２の電極板３１との間に、第１の絶縁層５１が配置される。第１の固定部品４２は、第１の電極板２２、第１の絶縁層５１、および第２の電極板３１を貫通して、３つの部品を締結固定する。
【００１９】
一実施形態では、第１の電極板２２は、炭素（Ｃ）、ニッケル（Ｎｉ）、および導電性メッシュ（図示せず）を備える。一実施形態では、第１の電極板２２は、ポリテトラフルオロエチレン（ＰＴＦＥ）、超電導カーボンブラック、グラファイト、および導電性メッシュのうちの少なくとも１つを備えてもよい。上述の材料を備えることにより、第１の電極板２２はより完全に化学反応を生じることができるので、注水式発電装置の寿命を延ばすことができる。一実施形態では、第１の電極板２２は、耐酸性かつ耐アルカリ性であり、優れた導電性を有する。一実施形態では、第１の電極板２２の形状は、第１の電極板２２内に導電性メッシュを備えるので、可撓性を有する形状である。第１の電極板２２が可撓性を有することにより、注水式発電装置をさまざまな形状にすることができる。
【００２０】
一実施形態では、第１の固定部品４２は、導電性金属製であり、注水式発電装置の電流伝導経路の一部である。一実施形態では、第１の固定部品４２がリベットであり、防錆処理されている。一実施形態では、第１の固定部品４２がねじであり、防錆処理されている。一実施形態では、第１の固定部品４２は省略されてもよい。すなわち、第１の電極板２２は、第２の電極板３１に「スナップ式」に取り付けられる。この実施形態では、第１の電極板２２は、突出部を有し、第２の電極板３１は凹部を有するようにしてもよい、もしくはその逆の形にしてもよい。第１の電極板２２の突出部は、第２の電極板３１の凹部と直接係合する。第１の電極板２２の突出部は、第１の電極板２２と第２の電極板３１とが互いに締結固定されるように、第２の電極板３１の凹部と合致する。
【００２１】
一実施形態では、第１の絶縁層５１は、第１の電極板２２の表面もしくは第２の電極板３１の表面に配置される絶縁被覆である。一実施形態では、第１の絶縁層５１は、第１の電極板２２の表面全体もしくは第２の電極板３１の表面全体を覆うとは限らない。一実施形態では、第１の絶縁層５１は、第１の電極板２２と第２の電極板３１との間に配置される少なくとも１つのスペーサに置き換えられてもよい。少なくとも１つのスペーサは、プラスチックのような非導電性材料製であり、第１の電極板２２が第２の電極板３１と接触しないように第１の電極板２２を第２の電極板３１から分離することができる。
【００２２】
図１Ｂは、本発明の一実施形態の注水式発電装置の基本構造体１２０の概略図である。図１Ｂに示されている部品は正確な縮尺で描かれておらず、単に例示目的で示されていることに留意されたい。基本構造体１２０は、第１の支持構造体１１と第２の支持構造体１２、第３の電極板２１と第４の電極板３２を備える。第３の電極板２１は、炭素（Ｃ）電極板２１としてもよいが、これに限定されない。第４の電極板３２は、マグネシウム（Ｍｇ）電極板３２としてもよいが、これに限定されない。第３の電極板２１は、第２の固定部品４１を使用して第１の支持構造体１１上に固定される。第４の電極板３２は、第３の固定部品４３を使用して第２の支持構造体１２上に固定される。基本構造体１２０はさらに、第３の電極板２１と第４の電極板３２との間に配置される第２の貯水層６２を備える。第４の電極板３２と第２の支持構造体１２との間に、第２の絶縁層５２が配置される。一実施形態では、第２の固定部品４１と第３の固定部品４３がリベットであり、防錆処理されている。
【００２３】
第２の絶縁層５２と第３の固定部品４３とを組み合わせることにより、第４の電極板３２と第２の支持構造体１２との化学反応を防ぐことができるので、水電池の寿命を延ばすことができる。従来型水電池では、通常、Ｍｇ電極と周囲の金属構造体との化学反応が熱とガスを発生させる。発生した熱がＭｇ電極の周囲の金属構造体を変形させ、ひいては従来型水電池の寿命を縮めてしまう。さらに、従来型水電池内のＭｇ電極の固定部品は、通常、Ｍｇ電極によって腐食され、その後、短絡問題を引き起こす。短絡問題は、最終的に従来型水電池の機能を損なうことになる。
【００２４】
Ｍｇ電極と周囲の金属構造体もしくは固定部品との化学反応もＭｇ電極を消費することになる。Ｍｇ電極が消費されてしまうと注水式発電装置内で化学反応が生じなくなるので、この意図しないＭｇ電極の消費が従来型水電池の寿命を縮めてしまう。
【００２５】
第１の支持構造体１１および第２の支持構造体１２は、導電性金属製である。一実施形態では、第１の支持構造体１１と第２の支持構造体１２が鋼鉄製である。第２の貯水層６２は、吸水性材料製であり、導電性イオンを含むように処理される。第２の貯水層６２は、注水式発電装置が発電するのに必要な水を保持するように設計されている。さらに、第３の電極板２１と第４の電極板３２との間に配置される第２の貯水層６２は、第３の電極板２１と第４の電極板３２とが直接接触するのを防ぐ。
【００２６】
一実施形態では、第２の貯水層６２が吸水紙製である。吸水紙が吸収できる水の量は、普通紙の場合の２．５倍である。吸水紙は薄くて貯水能力が高いので、注水式発電装置は従来型水電池よりも薄い構造にできる。一実施形態では、第２の貯水層６２は、ナトリウム（Ｎａ）イオンを含むように処理される。第２の貯水層６２に含まれるＮａイオンは、注水式発電装置内の化学反応を発生しやすくできる。さらに、使用者は、注水式発電装置が発電する前に、注水式発電装置に水を加えるだけでよく、追加の電解質が必要でなくなる。
【００２７】
図２は、本発明の一実施形態の注水式発電装置１の概略図である。図２に示されている部品は正確な縮尺で描かれておらず、単に例示目的で示されていることに留意されたい。注水式発電装置１は、図１Ａに示されている第１のモジュール１００、図１Ｂに示されている基本構造体１２０、および追加の第１の貯水層６１を備える。図２に示されているように、第１のモジュール１００は、第１の貯水層６１と第２の貯水層６２との間に配置され、第１の貯水層６１および第２の貯水層６２は、第２の支持構造体１２上に固定された第４の電極板３２と第１の支持構造体１１上に固定された第３の電極板２１との間に配置される。図２では、注水式発電装置１が発電するときに、第３の電極板２１が陰極としての機能を果たし、第４の電極板３２が陽極としての機能を果たす。
【００２８】
図３は、本発明の一実施形態の注水式発電装置内の電位経路７０を破線で示した概略図である。図３に示されている部品は正確な縮尺で描かれておらず、単に例示目的で示されていることに留意されたい。注水式発電装置が水中に入れられた後、もしくは注水式発電装置が水で満たされた後、第１の貯水層６１および第２の貯水層６２は、水を吸収して内部に水を保持し始める。第１の貯水層６１および第２の貯水層６２内の水は、Ｃ電極板とＭｇ電極板とが化学反応を起こすための適切な媒質としての機能を果たす。Ｃ電極板の表面およびＭｇ電極板の表面が水に触れると、Ｍｇ電極板はアニオン（負に帯電したイオン）を放出し、Ｃ電極板はカチオン（正に帯電したイオン）を放出する。アニオンとカチオンとの相互作用が電位差を発生させる。
【００２９】
発電工程では、正電荷は、第２の固定部品４１を通って、第１の支持構造体１１から出力され、負電荷は、第３の固定部品４３を通って、第２の支持構造体１２から出力される。電位経路７０は、注水式発電装置内の電流伝導経路全体のことである。一実施形態では、第３の電極板２１と第２の電極板３１との組み合わせが１．５ボルトの電位差を生み出し、第１の電極板２２と第４の電極板３２との組み合わせが１．５ボルトの電位差を生み出す。したがって、図３に示されている注水式発電装置は、全体として３ボルトの電位差を有する。
【００３０】
図４は、本発明の一実施形態の注水式発電装置２の概略図である。図４に示されている部品は正確な縮尺で描かれておらず、単に例示目的で示されていることに留意されたい。図４に示されている注水式発電装置２は、第１のモジュール１００、第２のモジュール２００、および第３のモジュール３００を備え、第２のモジュール２００と第３のモジュール３００は、図１Ａに示されている第１のモジュール１００と同じ構造を有する。図４に示されている注水式発電装置２はさらに、第３の貯水層６３および第４の貯水層６４を備える。第３の貯水層６３および第４の貯水層６４と、第１の貯水層６１および第２の貯水層６２は、同じ材料で作られる。図４に示されている実施形態では、４組のＣ電極板とＭｇ電極板との組がある。４組のＣ電極板とＭｇ電極板との組それぞれは、１．５ボルトの電位差を生み出す。したがって、図４に示されている注水式発電装置は、全体として６ボルトの電位差を有する。
【００３１】
本発明の注水式発電装置は、図３および図４に示されている実施形態に限定されないことに留意されたい。設計者もしくは製造業者は、図３および図４に示されている構造を基本として、異なる出力電圧を有する注水式発電装置を構成することができる。つまり、設計者もしくは製造業者は、追加モジュールおよび追加貯水層を追加するだけでよい。すなわち、注水式発電装置の出力電圧をカスタマイズすることが可能である。モジュールによる注水式発電装置の構成の概念は、一般に、大きな出力電圧を発生させるためには複数の従来型水電池が直列に接続されなければならないが、同様の出力電圧を発生させるために本発明の注水式発電装置は１つのみを必要とするという利点を有する。したがって、本発明の注水式発電装置は、電卓、電子時計、もしくは懐中電灯のような小型の電子機器での使用に限定されなくなる。本発明の注水式発電装置は、電気自動車にも使用可能になる。
【００３２】
上述した注水式発電装置の電圧のカスタマイズの他に、注水式発電装置の出力電流もカスタマイズ可能である。設計者もしくは製造業者は、Ｍｇ電極板およびＣ電極板の容積を変更することによって、異なる出力電流を有する注水式発電装置を構成できる。
【００３３】
注水式発電装置の電圧および出力電流のカスタマイズの他に、注水式発電装置の容量もカスタマイズ可能である。バッテリ容量は、定格電圧で供給できる電荷量で定義される。バッテリに含まれる電極材料が多いほど、容量も大きくなる。したがって、任意の所望容量の注水式発電装置は、注水式発電装置に追加モジュールおよび追加貯水層を追加することで容易に構成可能である。
【００３４】
図５Ａ〜５Ｄはそれぞれ、本発明の一実施形態の注水式発電装置の正面図、側面図、上面図、３次元図である。図５Ａ〜５Ｄに示されている部品は正確な縮尺で描かれておらず、単に例示目的で示されていることに留意されたい。さらに、Ｃ電極板、Ｍｇ電極板、支持構造体、および貯水層の形状は、図５Ａ〜５Ｄに示されている実施形態に限定されないことに留意すべきである。これらの部品の形状は、異なる設計要件を満たすようにカスタマイズ可能である。
【００３５】
図６Ａおよび図６Ｂは、本発明の一実施形態の注水式発電装置の製造方法のフローチャートである。図６Ａに示されるように、ステップ６０１において、第１の電極板（２２）および第２の電極板（３１）が配設される。ステップ６０２において、第１の電極板（２２）の一表面もしくは第２の電極板（３１）の一表面に、第１の絶縁層（５１）が配置される。ステップ６０３において、第１の固定部品（４２）を使用して、第１の電極板（２２）と第２の電極板（３１）との間に第１の絶縁層（５１）が配置された状態で、第１の電極板（２２）と第２の電極板（３１）とが締結固定される。ステップ６０１〜６０３完了後、第１のモジュール（１００）が形成される。この第１のモジュール（１００）は、後のステップ６０９で使用される。ステップ６０４において、第３の電極板（２１）を保持するための第１の支持構造体（１１）および第４の電極板（３２）を保持するための第２の支持構造体（１２）が配設される。
【００３６】
図６Ｂに示されるように、ステップ６０５において、第４の電極板（３２）と第２の支持構造体（１２）との間に第２の絶縁層（５２）が配置される。ステップ６０６において、第２の固定部品（４１）を使用して第３の電極板（２１）が第１の支持構造体（１１）上に締結固定され、第３の固定部品（４３）を使用して第４の電極板（３２）が第２の支持構造体（１２）上に締結固定される。ステップ６０７において、第２の電極板（３１）と第３の電極板（２１）との間に第１の貯水層（６１）が配設される。ステップ６０８において、第１の電極板（２２）と第４の電極板（３２）との間に第２の貯水層（６２）が配設される。ステップ６０９において、第２の貯水層（６２）と第４の電極板（３２）との間に少なくとも１つの追加モジュール（２００）が配設され、少なくとも１つの追加モジュール（２００）と第４の電極板（３２）との間に少なくとも１つの追加貯水層（６３）が配設される。少なくとも１つの追加モジュール（２００）は、第１のモジュール（１００）と同じ構造を有する。ステップ６０９は任意のステップであることに留意されたい。すなわち、設計者もしくは製造業者は、ステップ６０９を無視してもよいし、注水式発電装置の所望の容量もしくは出力電圧に達するまでステップ６０９を複数回実行してもよい。
【００３７】
本明細書では本発明の特定の実施形態が開示されているが、本発明が開示されている実施形態に限定されるということではない。当業者は、本発明の精神から逸脱せずに、上述の実施形態に修正および変更を加えてもよいことは理解するであろう。本発明は、添付の請求項の範囲内の変更および変形形態を全て含むものとする。
【符号の説明】
【００３８】
１  注水式発電装置
２  注水式発電装置
１１  第１の支持構造体
１２  第２の支持構造体
２１  第３の電極板
２２  第１の電極板
３１  第２の電極板
３２  第４の電極板
４１  第２の固定部品
４２  第１の固定部品
４３  第３の固定部品
５１  第１の絶縁層
５２  第２の絶縁層
６１  第１の貯水層
６２  第２の貯水層
６３  第３の貯水層
６４  第４の貯水層
７０  電位経路
１００  第１のモジュール
１２０  基本構造体
２００  第２のモジュール
３００  第３のモジュール
【要約】      （修正有）【課題】長寿命の注水式発電装置の提供【解決手段】第１の電極板２２と第２の電極板３１とを有し、第１のモジュール１００を備え、さらに、第１の支持構造体１１、第２の支持構造体１２、および２つの貯水層６１、６２を備える、第１の電極板２２と第２の電極板３１とは、第１の固定部品４２を使用して固定され、第１の電極板（２２）と第２の電極板３１との間に第１の絶縁層５１が配置され、さらに第３の電極板２１と第４の電極板３２とを備え、第３の電極板２１は第２の固定部品４１を使用して第１の支持構造体１１上に固定され、第４の電極板３２は第３の固定部品４３を使用して第２の支持構造体１２上に固定される、注水式発電装置。【選択図】図３【図１Ａ−Ｂ】
0005913655.tif 000002
【図２】
0005913655.tif 000003
【図３】
0005913655.tif 000004
【図４】
0005913655.tif 000005
【図５Ａ−Ｃ】
0005913655.tif 000006
【図５Ｄ】
0005913655.tif 000007
【図６Ａ】
0005913655.tif 000008
【図６Ｂ】
0005913655.tif 000009